(57)【要約】【課題】電気集塵装置の極板洗浄のために装置内部を水密にし、また水密にした装置内部を満たすために多くの洗浄液が必要であり洗浄後の廃液量が増大するといった課題がある。【解決手段】スプレーノズルが帯電極部または集塵極部を構成する極板の上端から鉛直上側の任意位置に配置され、その噴射方向を極板に向け、かつ、噴射時に形成される流体の形状の上端が極板上端と平行になるような角度と、噴射時に形成される流体の形状の下端が鉛直下方になるような角度との範囲内に入るようにしたことで、極板に噴射する洗浄液および洗浄液を洗い流す水または温水を最適な角度で配置することが可能となる。【選択図】図１
2009248056.tif 000002
【特許請求の範囲】
【請求項１】
粉塵またはオイルミストなどの浮遊粒子を帯電させる帯電極部と前記帯電極部で帯電された浮遊粒子を集塵極部で電気的に吸着して捕集し、極板に吸着した浮遊粒子の洗浄手段としてスプレーノズル、洗浄に使用する洗浄液および前記洗浄液を洗い流す水または温水を搬送させる手段としてポンプを備えた電気集塵装置において、前記スプレーノズルは、前記帯電極部または前記集塵極部を構成する極板の上端から鉛直上側の任意位置に配置され、その噴射方向は、前記極板に向け、かつ、噴射時に形成される流体の形状の上端が極板上端と平行になるような角度と、噴射時に形成される流体の形状の下端が鉛直下方になるような角度との範囲内に入るようにしたことを特徴とする電気集塵装置。
【請求項２】
前記帯電極部および前記集塵極部の風路入口幅を大きくし、複数個の前記スプレーノズルを配置したことを特徴とする請求項１記載の電気集塵装置。
【請求項３】
前記スプレーノズルの噴霧方向は、前記極板の面に対し０度を超え９０度未満にしたことを特徴とする請求項１または２記載の電気集塵装置。
【請求項４】
風路風上側から見て前記帯電極部または前記集塵極部の極板の右面に対し０度を超え９０度未満の角度で配置した右側スプレーノズルと、風路風上側から見て前記帯電極部または前記集塵極部の極板の左面に対し０度を超え９０度未満の角度で配置した左側スプレーノズルとを有し、右側スプレーノズルで極板の右面を、左側スプレーノズルで各極板の左面の洗浄を行うことを特徴とする請求項３記載の電気集塵装置。
【請求項５】
右側スプレーノズルで行う洗浄工程と左側スプレーノズルで行う洗浄工程の運転時間が重ならないことを特徴とする請求項４記載の電気集塵装置。
【請求項６】
洗浄手段としての前記スプレーノズルを配置した前記帯電極部および前記集塵極部を上下に複数段重ねたことを特徴とする請求項１〜５いずれかに記載の電気集塵装置。
【請求項７】
前記帯電極部および前記集塵極部を上下に複数段重ねたことを特徴とする電気集塵装置において、最上段に配置した前記帯電極部または前記集塵極部の極板上端側および最下段に配置した前記帯電極部または前記集塵極部の極板下端側に前記スプレーノズルを配置し、前記極板上端側の前記スプレーノズルは極板上端から鉛直上側の任意位置で下方の極板に平行に前記スプレーノズルの流体噴射口を配置し、前記極板下端側の前記スプレーノズルは極板下端から鉛直下側の任意位置で上方の極板に平行に前記スプレーノズルの流体噴射口を配置したことを特徴とする請求項１〜６いずれかに記載の電気集塵装置。
【請求項８】
前記スプレーノズルを風路風上側の前記帯電極部および風下側の前記集塵極部のそれぞれに配置したことを特徴とする請求項１〜７いずれかに記載の電気集塵装置。
【請求項９】
洗浄手段としての前記スプレーノズルに前記洗浄液の噴射および前記洗浄液を洗い流す水または温水の噴射を兼用させたことを特徴とする請求項１〜８いずれかに記載の電気集塵装置。
【請求項１０】
前記スプレーノズルに前記洗浄液および水または温水の噴射と洗浄後に付着した水滴を吹き飛ばすエアブローも兼用させたことを特徴とする請求項１〜８いずれかに記載の電気集塵装置。
【請求項１１】
前記スプレーノズルで噴射する前記洗浄液および水または温水が極板を伝って流れ落ちてきたものを貯水槽に回収し、前記ポンプで循環して再噴射することを特徴とした請求項１〜１０いずれかに記載の電気集塵装置。
【請求項１２】
前記スプレーノズルで噴射される液体が通過する流路を直径２ｍｍ以上としたことを特徴とする請求項１１記載の電気集塵装置。
【発明の詳細な説明】
【技術分野】
【０００１】
本発明は、機械工場や鋳物工場等で使用される粉塵またはオイルミストなどの浮遊粒子の集塵を行う電気集塵装置において、浮遊粒子が付着した装置内の極板の洗浄手段としてスプレーノズルから洗浄液等を噴射して洗浄を行う構造および噴射手段に関するものである。
【背景技術】
【０００２】
従来、この種の電気集塵装置の極板洗浄方法は、帯電部と集塵部で構成された電気集塵ユニット部の通風口前後を水密に閉塞する開閉自在な閉塞手段により、内部を洗浄液で満たし、その洗浄液を振動または流動させることで極板の洗浄を行い、洗浄後の廃液を排出する洗浄液排出手段を備えた構造がよく知られている（例えば、特許文献１参照）。
【特許文献１】特開平６−１５１９７号公報
【発明の開示】
【発明が解決しようとする課題】
【０００３】
このような従来の電気集塵装置の極板洗浄方法では、電気集塵ユニット部を洗浄するために通風口前後を水密に保つことが必要であるが、水漏れを発生させない構造を維持するという課題がある。また電気集塵ユニット部を洗浄するために内部を水で満たすために多くの水を使用することが必要といった課題があり、水漏れが発生し難い簡素な構造を持ち、かつ高い洗浄能力であることが要求されている。また、環境および経済性の観点から水の使用量を低減する洗浄方法であることも要求されている。
【０００４】
本発明は、このような従来の課題を解決するものであり、高い洗浄能力を確保し、かつ洗浄で使用する水の使用量を低減した洗浄方法を提供することができ、また、洗浄手段としてのスプレーノズルを電気集塵装置の極板上側または下側にまとめて配置したことで、メンテナンス性の向上も図ることのできる電気集塵装置を提供することを目的としている。
【課題を解決するための手段】
【０００５】
本発明の電気集塵装置は上記目的を達成するために、粉塵またはオイルミストなどの浮遊粒子を帯電させる帯電極部と前記帯電極部で帯電された浮遊粒子を集塵極部で電気的に吸着して捕集し、極板に吸着した浮遊粒子の洗浄手段としてスプレーノズル、洗浄に使用する洗浄液および前記洗浄液を洗い流す水または温水を搬送させる手段としてポンプを備えた電気集塵装置において、前記スプレーノズルは、前記帯電極部または前記集塵極部を構成する極板の上端から鉛直上側の任意位置に配置され、その噴射方向は、前記極板に向け、かつ、噴射時に形成される流体の形状の上端が極板上端と平行になるような角度と、噴射時に形成される流体の形状の下端が鉛直下方になるような角度との範囲内に入るようにしたことを特徴としたものである。
【０００６】
この手段により極板に噴射する洗浄液および洗浄液を洗い流す水または温水を最適な角度で配置することで、極板に吸着した浮遊粒子の洗浄および除去能力を向上する洗浄手段を提供することができる電気集塵装置が得られる。
【０００７】
また他の手段は、前記帯電極部および前記集塵極部の風路入口幅を大きくし、複数個の前記スプレーノズルを配置したことを特徴としたものである。
【０００８】
この手段により処理風量が多い大型の装置においても、最適レイアウトにスプレーノズルを配置することで、極板に吸着した浮遊粒子の洗浄および除去能力を向上する洗浄手段を提供することができる電気集塵装置が得られる。
【０００９】
また他の手段は、前記スプレーノズルの噴霧方向は、前記極板の面に対し０度を超え９０度未満にしたことを特徴としたものである。
【００１０】
この手段により極板に任意の角度で洗浄液および洗浄液を洗い流す水または温水を噴射することで、各極板に当たる流量が増加し、吸着した浮遊粒子の洗浄および除去能力を向上する洗浄手段を提供することができる電気集塵装置が得られる。
【００１１】
また他の手段は、風路風上側から見て前記帯電極部または前記集塵極部の極板の右面に対し０度を超え９０度未満の角度で配置した右側スプレーノズルと、風路風上側から見て前記帯電極部または前記集塵極部の極板の左面に対し０度を超え９０度未満の角度で配置した左側スプレーノズルとを有し、右側スプレーノズルで極板の右面を、左側スプレーノズルで各極板の左面の洗浄を行うことを特徴としたものである。
【００１２】
この手段により極板の右面および左面をそれぞれ異なるスプレーノズルで噴射、洗浄することで、各極板に当たる流量が増加し、吸着した浮遊粒子の洗浄および除去能力を向上する洗浄手段を提供することができる電気集塵装置が得られる。
【００１３】
また他の手段は、右側スプレーノズルで行う洗浄工程と左側スプレーノズルで行う洗浄工程の運転時間が重ならないことを特徴としたものである。
【００１４】
この手段により極板の右面および左面を洗浄するそれぞれのスプレーノズルが噴射する運転時間を重ならないようにすることで、スプレーノズルから噴射される流体同士が干渉して各極板に当たる流量が減少することが防止することができ、吸着した浮遊粒子の洗浄および除去能力を向上する洗浄手段を提供することができる電気集塵装置が得られる。
【００１５】
また他の手段は、洗浄手段としての前記スプレーノズルを配置した前記帯電極部および前記集塵極部を上下に複数段重ねたことを特徴としたものである。
【００１６】
この手段により処理風量が多い大型の装置で電気集塵ユニット部が上下に多段に配置された場合においても、極板に吸着した浮遊粒子の洗浄および除去能力を向上する洗浄手段を提供することができる電気集塵装置が得られる。
【００１７】
また他の手段は、前記帯電極部および前記集塵極部を上下に複数段重ねたことを特徴とする電気集塵装置において、最上段に配置した前記帯電極部または前記集塵極部の極板上端側および最下段に配置した前記帯電極部または前記集塵極部の極板下端側に前記スプレーノズルを配置し、前記極板上端側の前記スプレーノズルは極板上端から鉛直上側の任意位置で下方の極板に平行に前記スプレーノズルの流体噴射口を配置し、前記極板下端側の前記スプレーノズルは極板下端から鉛直下側の任意位置で上方の極板に平行に前記スプレーノズルの流体噴射口を配置したことを特徴としたものである。
【００１８】
この手段により処理風量が多い大型の装置で電気集塵ユニット部が上下に多段に配置された場合においても、上下に配置されたスプレーノズルから極板を挟みこむように洗浄する構造とすることで、極板に吸着した浮遊粒子の洗浄および除去能力を向上する洗浄手段を提供することができる電気集塵装置が得られる。
【００１９】
また他の手段は、前記スプレーノズルを風路風上側の前記帯電極部および風下側の前記集塵極部のそれぞれに配置したことを特徴としたものである。
【００２０】
この手段により通風方向に長い電気集塵ユニット部においても極板全体をカバーして噴射することができ、またユニット前後から洗浄を行うことで、極板に吸着した浮遊粒子の洗浄および除去能力を向上する洗浄手段を提供することができる電気集塵装置が得られる。
【００２１】
また他の手段は、洗浄手段としての前記スプレーノズルに前記洗浄液の噴射および前記洗浄液を洗い流す水または温水の噴射を兼用させたことを特徴としたものである。
【００２２】
この手段により使用するスプレーノズル個数が減り、結果としてメンテナンス部品の削減が図れるためメンテナンスが容易となる電気集塵装置が得られる。
【００２３】
また他の手段は、前記スプレーノズルに前記洗浄液および水または温水の噴射と洗浄後に付着した水滴を吹き飛ばすエアブローも兼用させたことを特徴としたものである。
【００２４】
この手段により使用するスプレーノズル個数が減り、結果として保守および交換部品の削減が図れるためメンテナンスが容易となる電気集塵装置が得られる。
【００２５】
また他の手段は、前記スプレーノズルで噴射する前記洗浄液および水または温水が極板を伝って流れ落ちてきたものを貯水槽に回収し、前記ポンプで循環して再噴射することを特徴としたものである。
【００２６】
この手段により前記洗浄液および水または温水を循環させることで再利用するため、洗浄により廃液を抑制することが可能であり、前記洗浄剤および水または温水の使用量が低減できる電気集塵装置が得られる。
【００２７】
また他の手段は、前記スプレーノズルで噴射される液体が通過する流路を直径２ｍｍ以上としたことを特徴としたものである。
【００２８】
この手段により使用するスプレーノズルの目詰まりの頻度を抑制することが可能であり、メンテナンスの回数を低減することが可能となる電気集塵装置が得られる。
【発明の効果】
【００２９】
本発明によれば、帯電極部または集塵極部を構成する複数枚の極板を洗浄する洗浄手段としてのスプレーノズルを極板の上端から鉛直上側の任意位置に配置し、その噴射方向は、前記極板に向け、かつ、噴射時に形成される流体の形状の上端が極板上端と平行になるような角度と、噴射時に形成される流体の形状の下端が鉛直下方になるような角度との範囲内に入るようにしたことにより、極板に対して洗浄液および洗浄液を洗い流す水または温水を最適な角度で噴射することが可能となり、極板に吸着した浮遊粒子の洗浄および除去能力の向上という効果のある電気集塵装置を提供できる。
【００３０】
また、複数個のスプレーノズルを極板上部または下部に配置することで、処理風量が多い用途にも対応可能となる電気集塵装置を提供できる。
【００３１】
また、１つのスプレーノズルに洗浄液および水または温水の噴射と水滴を吹き飛ばすエアブローを兼用させたことにより、使用するスプレーノズルの種類および個数を低減することが可能となり、メンテナンスが容易な電気集塵装置を提供できる。
【００３２】
また、スプレーノズルから噴射した洗浄液および水または温水を装置下部に配置した貯水槽で回収し、スプレーノズルから再噴射が可能な循環経路を設けたことで、洗浄により生成される廃液量を抑制することが可能であり、洗浄剤および水または温水の使用量が少ない電気集塵装置を提供できる。
【発明を実施するための最良の形態】
【００３３】
本発明は、粉塵またはオイルミストなどの浮遊粒子を帯電させる帯電極部と前記帯電極部で帯電された浮遊粒子を集塵極部で電気的に吸着して捕集し、極板に吸着した浮遊粒子の洗浄手段としてスプレーノズル、洗浄に使用する洗浄液および前記洗浄液を洗い流す水または温水を搬送させる手段としてポンプを備えた構造で、前記スプレーノズルは、前記帯電極部または前記集塵極部を構成する極板の上端から鉛直上側の任意位置に配置され、その噴射方向は、前記極板に向け、かつ、噴射時に形成される流体の形状の上端が極板上端と平行になるような角度と、噴射時に形成される流体の形状の下端が鉛直下方になるような角度との範囲内に入るように配置した構造としたものであり、極板に噴射する洗浄液および洗浄液を洗い流す水または温水を最適な角度で配置したことで、極板に吸着した浮遊粒子の洗浄および除去能力を向上する洗浄手段を提供することが可能という作用を有する。
【００３４】
また、前記帯電極部および前記集塵極部の風路入口幅を大きくし、複数個の前記スプレーノズルを配置した構造としたものであり、処理風量が多い大型の装置においても、最適なレイアウトにスプレーノズルを配置したことで、極板に吸着した浮遊粒子の洗浄および除去能力を向上する洗浄手段を提供することが可能という作用を有する。
【００３５】
また、前記スプレーノズルの噴霧方向を、前記極板の面に対し０度を超え９０度未満に配置した構造としたものであり、極板に任意の角度で洗浄液および洗浄液を洗い流す水または温水を噴射することで、各極板に当たる流量が増加し、吸着した浮遊粒子の洗浄および除去能力を向上する洗浄手段を提供することが可能という作用を有する。
【００３６】
また、風路風上側から見て前記帯電極部または前記集塵極部の極板の右面に対し０度を超え９０度未満の角度で配置した右側スプレーノズルと、風路風上側から見て前記帯電極部または前記集塵極部の極板の左面に対し０度を超え９０度未満の角度で配置した左側スプレーノズルとを有し、右側スプレーノズルで極板の右面を、左側スプレーノズルで各極板の左面の洗浄を行う構造としたものであり、極板の右面および左面をそれぞれ異なるスプレーノズルで噴射洗浄することで、各極板に当たる流量が増加し、吸着した浮遊粒子の洗浄および除去能力を向上する洗浄手段を提供することが可能という作用を有する。
【００３７】
また、右側スプレーノズルで行う洗浄工程と左側スプレーノズルで行う洗浄工程の運転時間が重ならないように時間差を設けたものであり、極板の右面および左面を洗浄するそれぞれのスプレーノズルが噴射する運転時間を重ならないようにすることで、各スプレーノズルから噴射される流体同士の干渉により極板を洗浄する流量が減少することを防止し、吸着した浮遊粒子の洗浄および除去能力を向上する洗浄手段を提供することが可能という作用を有する。
【００３８】
また、洗浄手段としての前記スプレーノズルを配置した前記帯電極部および前記集塵極部を上下に複数段重ねた構造としたものであり、処理風量が多い大型の装置で電気集塵ユニット部が上下に多段に配置された場合においても、極板に吸着した浮遊粒子の洗浄および除去能力を向上する洗浄手段を提供することが可能という作用を有する。
【００３９】
また、前記帯電極部および前記集塵極部を上下に複数段重ねた構造で、最上段に配置した前記帯電極部または前記集塵極部の極板上端側および最下段に配置した前記帯電極部または前記集塵極部の極板下端側に前記スプレーノズルを配置し、前記極板上端側の前記スプレーノズルは極板上端から鉛直上側の任意位置で下方の極板に平行に前記スプレーノズルの流体噴射口を配置し、前記極板下端側の前記スプレーノズルは極板下端から鉛直下側の任意位置で上方の極板に平行に前記スプレーノズルの流体噴射口を配置した構造としたものであり、処理風量が多い大型の装置で電気集塵ユニット部が上下に多段に配置された場合においても、上下に配置されたスプレーノズルから極板を挟みこむように洗浄する構造とすることで、極板に吸着した浮遊粒子の洗浄および除去能力を向上する洗浄手段を提供することが可能という作用を有する。
【００４０】
また、前記スプレーノズルを風路風上側の前記帯電極部および風下側の前記集塵極部のそれぞれに配置した構造としたものであり、通風方向に長い電気集塵ユニット部においても極板全体をカバーして噴射することができ、またユニット前後から洗浄を行うことで、極板に吸着した浮遊粒子の洗浄および除去能力を向上する洗浄手段を提供することが可能という作用を有する。
【００４１】
また、洗浄手段としての前記スプレーノズルに前記洗浄液の噴射および前記洗浄液を洗い流す水または温水の噴射を兼用させた構造としたものであり、使用するスプレーノズル個数が減り、結果として保守および交換部品の削減が図れるためメンテナンス性が向上することが可能という作用を有する。
【００４２】
また、前記スプレーノズルに前記洗浄液および水または温水の噴射と洗浄後に付着した水滴を吹き飛ばすエアブローも兼用させた構造としたものであり、使用するスプレーノズル個数が減り、結果として保守および交換部品の削減が図れるためメンテナンス性が向上することが可能という作用が有する。
【００４３】
また、前記スプレーノズルで噴射する前記洗浄液および水または温水が極板を伝って流れ落ちてきたものを貯水槽に回収し、前記ポンプで循環して再噴射する構造としたものであり、前記洗浄液および水または温水を循環させることで再利用するため、洗浄による廃液を抑制することが可能であり、前記洗浄剤および水または温水の使用量を低減することが可能という作用を有する。
【００４４】
また、前記スプレーノズルで噴射される液体が通過する流路を直径２ｍｍ以上とした構造としたものであり、使用するスプレーノズルの目詰まりの頻度を抑制することが可能であり、メンテナンスの回数を低減することが可能という作用を有する。
【００４５】
以下、本発明の実施例について図面を参照しながら説明する。
【実施例】
【００４６】
以下、本発明のオイルミスト電気集塵装置の電極洗浄方式の一実施例を図面に基づいて説明する。
【００４７】
図１は本発明の一実施例によるオイルミスト電気集塵装置の電極洗浄構造の概要を示す斜視図、図２は本発明第二の実施例のオイルミスト電気集塵装置の電極洗浄のスプレーノズル配置を示した同オイルミスト電気集塵装置の電極洗浄構造の平面図、図３は本発明第二の実施例のオイルミスト電気集塵装置の電極洗浄のスプレーノズル配置を示した同オイルミスト電気集塵装置の電極洗浄構造の断面図、図４は本発明第三の実施例のオイルミスト電気集塵装置の電極洗浄のスプレーノズル配置を示した同オイルミスト電気集塵装置の電極洗浄構造の平面図、図５は本発明第四の実施例の電極洗浄のスプレーノズルを備えたオイルミスト電気集塵装置を多段に積載した同電気集塵装置の電極洗浄構造の概要を示す斜視図、図６は本発明第四の実施例のオイルミスト電気集塵装置を多段に積載し、電気洗浄のスプレーノズルをその上下に備えた同電気集塵装置の電極洗浄構造の概要を示す斜視図である。
【００４８】
（実施例１）
図１に示すように、本発明の第１の実施例のオイルミスト電気集塵装置は、粉塵、オイルミストなどの浮遊粒子を帯電させる帯電極部１と帯電極部で帯電された浮遊粒子を吸着して捕集する集塵極部２で構成されている。この集塵極部２は、複数段で構成してもよい。また、帯電極部１および集塵極部２は複数枚の極板３で構成されている。帯電極部１、集塵極部２の上部には、極板３と直交する向きに洗浄液、あるいは水・温水を噴射する噴射管８を設ける。この噴射管８には複数個のスプレーノズル４を配置し、洗浄液、あるいは水・温水はこのスプレーノズル４から噴射される。装置下部には、洗浄に使用する洗浄液、あるいは水・温水を貯める貯水槽５が設けられている。この貯水槽５には配管を接続し、ポンプ６を介して配管を流れる流体を制御するバルブ７に接続されており、その後、噴射管８に接続される構造としている。
【００４９】
図２および図３に示すように、スプレーノズル４は、極板３の上端から鉛直上側の任意位置に、かつ、流体噴射口が帯電極部１、集塵極部２を構成する極板３に向かって吹き付けるように配置される。噴射される流体は、所定の角度を有した状態で噴射される。スプレーノズル４の取り付けは、噴霧形状の上端が極板上端と平行になるような取付角度を上限とし、他端（噴射される流体の下端）がスプレーノズル４の取付位置から鉛直下方になるような角度αで配置するようにしている。この取付角度は調整することが可能であり、それにより、スプレーノズル４で噴射する流体が極板３を洗浄する範囲を任意に変更することが可能である。なお、実施例ではスプレーノズル４のスプレー形状はフルコーン形のものを使用したが他のものを使用しても同様の効果が得られる。
【００５０】
このような構成の電気集塵装置は、運転することによって極板３上に浮遊粒子が付着する。浮遊粒子の付着がすすむと集塵効率が低下してしまうため、適宜洗浄が必要である。洗浄する際には、ポンプ６を運転し、貯水槽５内の洗浄液（あるいは水・温水）を噴射管８へ送る。送られた洗浄液（あるいは水・温水）は、スプレーノズル４から極板３に向けて噴射され、極板３上に付着した浮遊粒子を洗い流すこととなる。なお、スプレーノズル４は洗浄液（あるいは水・温水）を噴射した後、極板などに付着した水滴を吹き飛ばすためのエアブローとしても利用可能としている。さらに、スプレーノズル４から噴射された洗浄液（あるいは水・温水）は極板３を洗浄しながら流れ落ちていき、再び貯水槽５に蓄えられポンプ６によって再循環する構造となっている。
【００５１】
上記構成によれば、貯水槽５で蓄えた洗浄液（あるいは水・温水）をポンプ６で循環させることで再利用するため、極板３を洗浄することで発生する廃液の使用量を低減できるという効果がある。なお、洗浄液（あるいは水・温水）を循環で再利用するために、スプレーノズル４で噴射する流体が通過する流路の最小径を２ｍｍ以上としている。それにより、スプレーノズル４の目詰まりの頻度を抑制できるという効果がある。
【００５２】
また、スプレーノズル４から噴射される洗浄液（あるいは水・温水）は、極板３の上方から所定の角度で噴射され、極板３全体に洗浄液（あるいは水・温水）が行き渡るようになっている。そのため、極板３の洗浄を効率よくできることとなる。
【００５３】
（実施例２）
第２の実施例の電気集塵装置は、図４に示すように、スプレーノズル４の噴射方向を帯電極部１または集塵極部２を構成する極板３面に対し、所定の角度β（０度を超え９０度未満）で配置したものである。この構成により、スプレーノズル４で噴射する洗浄液（あるいは水・温水）が複数枚備えられた極板３の間に入り込み易くなる。従って、洗浄液（あるいは水・温水）が極板３に効率よく行き渡り、洗浄能力を向上させている。
【００５４】
なお、図４では、スプレーノズル４を帯電極部１の風上側（スプレーノズル４ａ）と集塵極部２の風下側（スプレーノズル４ｂ）それぞれに配置し、風上側にはバルブ７ａ、風下側にはバルブ７ｂを接続している。このような構成において、風路風上側のスプレーノズル４ａが噴射する際は風路風下側のバルブ７ｂを閉め、風路風下側のスプレーノズル４ｂが噴射する際は風路風上側のバルブ７ａを閉めて洗浄液（あるいは水・温水）を噴射する。これにより、スプレーノズル４から噴射される流体同士が干渉して極板３を洗浄する流量が減少しないようになり、洗浄性能を向上する効果が得られる。なお、バルブ７ａまたは７ｂは制御手段を使用することで開閉を行うタイミングを可変することを可能としている。
【００５５】
（実施例３）
図５に示すように、帯電極部１、集塵極部２、スプレーノズル４を上下２段に配置し、上段に配置した帯電極部１および集塵極部２は上段の上側に備えたスプレーノズル４で洗浄を行い、下段に配置した帯電極部１および集塵極部２は下段の上側に備えたスプレーノズル４で洗浄を行うようにすることで、粉塵またはオイルミストの処理風量が多い大型の装置においても各極板３を洗浄できる効果が得られる。なお、図６に示すように、上段に配置した帯電極部１および集塵極部２は上段の上側に備えたスプレーノズル４で下向きに噴射洗浄を行い、下段に配置した帯電極部１および集塵極部２の下側にスプレーノズル４を配置し、上向きに噴射洗浄を行うように構成することもよい。
【産業上の利用可能性】
【００５６】
本発明は、電気集塵装置の電極洗浄方式としてスプレーノズルから噴射する流体を洗浄液および洗浄液を洗い流す水または温水としたが、洗浄液および洗浄液を洗い流す水または温水以外の流体を利用するものにも適用できる。
【図面の簡単な説明】
【００５７】
【図１】本発明の実施例１のオイルミスト電気集塵装置の電極洗浄構造の概要を示す斜視図
【図２】本発明の実施例１のオイルミスト電気集塵装置の電極洗浄のスプレーノズル配置を示した同オイルミスト電気集塵装置の電極洗浄構造の平面図
【図３】本発明の実施例１のオイルミスト電気集塵装置の電極洗浄のスプレーノズル配置を示した同オイルミスト電気集塵装置の電極洗浄構造の断面図
【図４】本発明の実施例２のオイルミスト電気集塵装置の電極洗浄のスプレーノズル配置を示した同オイルミスト電気集塵装置の電極洗浄構造の平面図
【図５】本発明の実施例３の電極洗浄のスプレーノズルを備えたオイルミスト電気集塵装置を多段に積載した同電気集塵装置の電極洗浄構造の概要を示す斜視図
【図６】本発明の実施例３のオイルミスト電気集塵装置を多段に積載し、電気洗浄のスプレーノズルをその上下に備えた同電気集塵装置の電極洗浄構造の概要を示す斜視図
【符号の説明】
【００５８】
１    帯電極部
２    集塵極部
３    極板
４    スプレーノズル
４ａ  スプレーノズル
４ｂ  スプレーノズル
５    貯水槽
６    ポンプ
７    バルブ
７ａ  バルブ
７ｂ  バルブ
８    噴射管
【図１】
2009248056.tif 000003
【図２】
2009248056.tif 000004
【図３】
2009248056.tif 000005
【図４】
2009248056.tif 000006
【図５】
2009248056.tif 000007
【図６】
2009248056.tif 000008